(57)【要約】【課題】大型の液晶表示装置等の映像表示装置において，電力容量不足に起因する映像表示部の起動不良が発生した場合に，電力容量不足の発生状況や対策に関する情報をユーザにわかりやすく通知すること。【解決手段】ＭＰＵ４の起動後，電圧検出器１０により，ＡＣ電力に基づく電源回路における映像表示部７への通電用のレギュレータ３ｃの出力電圧の不足状態を検出し，ＭＰＵ５により，電圧不足の検出結果に基づき電力容量不足の発生を検知した履歴情報をメモリ５に記録し，映像表示部７が起動した場合であって，メモリ５に記録された電力容量不足の発生の履歴情報が所定条件を満たす情報である場合に，電力容量不足の発生状況や対策に関する警報メッセージを映像表示部７に表示させる。【選択図】図１
2009063784.tif 000002
【特許請求の範囲】
【請求項１】
外部から供給されるＡＣ電力に基づいてそれぞれ所定電圧の電力を出力する第１電源回路及び第２電源回路と，前記第１電源回路により通電される制御部と，前記第２電源回路により通電され，前記制御部が起動した後に起動される映像表示部とを備えた映像表示装置であって，
前記第２電源回路の出力電圧の不足状態を検出する第２電源電圧不足検出手段と，
前記制御部に設けられ，該制御部が起動した後の前記第２電源電圧不足検出手段の検出結果に基づいて電力容量不足の発生を検知する電力容量不足検知手段と，
前記電力容量不足検知手段の検知結果に基づいて前記電力容量不足の発生の履歴情報を記憶手段に記録する電力容量不足履歴記録手段と，
前記映像表示部が起動した場合であって，前記電力容量不足の発生の履歴情報が予め定められた警報条件を満たす情報である場合に，所定の警報情報を前記映像表示部に表示させる警報表示制御手段と，
を具備してなることを特徴とする映像表示装置。
【請求項２】
前記警報条件が，前記電力容量不足の発生が複数回検知された履歴があるという条件を含んでなる請求項１に記載の映像表示装置。
【請求項３】
前記制御部に設けられ，前記電力容量不足検知手段によって前記電力容量不足の発生が検知された場合に前記映像表示部の再起動処理を実行する再起動制御手段を具備してなる請求項２に記載の映像表示装置。
【請求項４】
前記再起動制御手段により前記映像表示部の再起動処理が所定回数繰り返されても前記電力容量不足検知手段によって前記電力容量不足の発生が検知された場合に，前記映像表示部をそれまでよりも消費電力の低い低負荷モードで起動させる処理を実行する低負荷起動制御手段を具備し，
前記警報表示制御手段が，前記電力容量不足の発生の履歴情報が前記警報条件を満たす情報である場合に，前記低負荷モードで起動した前記映像表示部に前記警報情報を表示させてなる請求項３に記載の映像表示装置。
【請求項５】
前記映像表示部が，液晶表示パネルと該液晶表示パネルをその背面側から照明するバックライトとを備えた液晶型映像表示部であり，
前記低負荷モードが前記バックライトの輝度を下げたモードである請求項４に記載の映像表示装置。
【請求項６】
前記警報表示制御手段により前記警報情報が前記映像表示部に表示された場合に，前記警報情報の表示を次回から行わないか否かを選択する選択画面を前記映像表示部に表示させる第１の選択画面表示制御手段と，
前記第１の選択画面表示制御手段による前記選択画面の表示中に操作部に対して前記警報情報の表示を次回から行わないことを選択する操作がなされた場合に，次回から前記警報表示制御手段による処理を実行させない制御を行う警報禁止制御手段と，
を具備してなる請求項１〜５のいずれかに記載の映像表示装置。
【請求項７】
前記警報表示制御手段により前記警報情報が前記映像表示部に表示された場合に，次回から前記映像表示部をそれまでよりも消費電力の低い低負荷モードで起動させるの選択画面を前記映像表示部に表示させる第２の選択画面表示制御手段と，
前記第２の選択画面表示制御手段による前記選択画面の表示中に操作部に対して次回から前記映像表示部を前記低負荷モードで起動させることを選択する操作がなされた場合に，次回から前記映像表示部を前記低負荷モードで起動させる起動方法変更手段と，
を具備してなる請求項１〜６のいずれかに記載の映像表示装置。
【発明の詳細な説明】
【技術分野】
【０００１】
本発明は，出力電圧もしくは系統が異なる複数の電源それぞれにより通電される制御部及び映像表示部を備えた映像表示装置に関するものである。
【背景技術】
【０００２】
液晶表示装置は，液晶表示パネルとその液晶表示パネルをその背面側から照明するバックライトとを備えた映像表示部を備え，そのバックライトの消費電力が液晶表示装置全体の消費電力における大部分を占める。また，近年普及が進んでいる大型の液晶表示装置においてはその傾向がさらに顕著である。
一般に，液晶表示装置等の映像表示装置は，外部から供給されるＡＣ電力（通常は，商用電源の電力）に基づいて所定電圧の電力を出力する電源回路（ＡＣ／ＤＣ変換回路）を複数備え，消費電力の小さいＭＰＵ等からなる制御部と，消費電力の大きい映像表示部とは，それぞれ異なる電源回路により通電される。多くの場合，制御部に給電する電源回路よりも映像表示部に給電する電源回路の方が出力電圧が高い。そして，所定の電源ＯＮ操作がなされた場合，先に起動した（或いは既に起動している）制御部が，映像表示部の起動処理を実行する。
また，液晶表示装置の中には，電源ＯＮ操作がなされた場合，先に起動した（或いは既に起動している）消費電力の小さな制御部が，映像表示部の起動過程を監視し，映像表示部の正常起動を検知できない場合（起動不良を検知した場合）に，映像表示部の再起動処理を実行するものもある。この再起動処理は，まれに生じる瞬時停電に起因して起動不良が生じた場合でも，装置を正常に起動させるために行われる。なお，制御部の消費電力は小さいため，制御部の電力入力ラインにコンデンサを設けることにより，瞬時停電の発止時にも制御部は処理を継続できる。
【０００３】
ところで，各家庭に設置された大型の液晶表示装置は，その消費電力（特に，映像表示部の消費電力）が大きいため，電源ＯＮ操作に応じて起動処理を実行した際に一時的にＡＣ電力（各家庭における商用電力）の容量が不足し，映像表示部に通電を行う電源回路が出力電圧を規定電圧に維持できなくなって起動不良（起動の失敗）が生じることがある。このような電力容量の不足に起因する液晶表示装置の起動不良は，例えば，１つの電源系統（ＡＣ電力の入力系統）に対して当該液晶表示装置と他の家電機器（電子レンジや電気ヒータ等）とが接続されて使用されている場合や，ＡＣ電力の入力系統に電流容量が小さい或いは劣化しているために高温状態となって抵抗が大きくなったテーブルタップが用いられている場合等に発生しやすい。
そして，従来の液晶表示装置は，上記のような電力容量不足に起因する起動不良が発生した場合，前述した再起動処理を繰り返したり，或いは所定のエラーランプを点灯させたりする。
なお，制御部の消費電力は小さいため，電力容量不足が生じた場合でも，通常，制御部用の電源回路の出力電圧は規定電圧に維持され，制御部は処理を継続できる。
【０００４】
一方，特許文献１には，バッテリー駆動される携帯電話機等の携帯端末において，動作中にバッテリーの出力が低電圧状態となった場合に，その旨の警告メッセージを表示部に表示させるとともに，選択操作に応じて低電圧モードへ移行することが提案されている。
【特許文献１】特開２００５−２９５０２２号公報
【発明の開示】
【発明が解決しようとする課題】
【０００５】
映像表示装置が，電力容量不足に起因する起動不良の発生時に，再起動処理の繰り返しやエラーランプの点灯等を行った場合，ユーザは状況を理解し難い。このため，従来の映像表示装置は，電力容量不足に起因する起動不良が生じた場合，装置自体の異常が生じたとユーザに誤認させてしまうという問題点があった。
また，映像表示装置において，電力容量不足に起因する起動不良が発生した場合，特許文献１に示されるようにその時点の状況を説明するメッセージを映像表示部によって表示させることはできない。
従って，本発明は上記事情に鑑みてなされたものであり，その目的とするところは，大型の液晶表示装置等の映像表示装置において，電力容量不足に起因する映像表示部の起動不良が発生した場合に，電力容量不足の発生状況や対策に関する情報をユーザにわかりやすく通知することができる映像表示装置を提供することにある。
【課題を解決するための手段】
【０００６】
上記目的を達成するために本発明に係る映像表示装置は，次の（１）〜（８）に示す各構成要素を具備するものである。
（１）外部から供給されるＡＣ電力に基づいて所定電圧（予め定められた電圧）の電力を出力する第１電源回路。
（２）前記ＡＣ電力に基づいて前記第１電源回路よりも高電圧の電力を出力する第２電源回路。
（３）前記第１電源回路により通電される制御部。
（４）前記第２電源回路により通電される映像表示部。なお，この映像表示部は，前記制御部が起動した後に起動される。
（５）前記第２電源回路の出力電圧の不足状態を検出する第２電源電圧不足検出手段。
（６）前記制御部に設けられ，その制御部が起動した後の前記第２電源電圧不足検出手段の検出結果に基づいて電力容量不足の発生を検知する電力容量不足検知手段。
（７）前記電力容量不足検知手段の検知結果に基づいて前記電力容量不足の発生の履歴情報を記憶手段（内蔵メモリや外部メモリ等）に記録する電力容量不足履歴記録手段。
（８）前記映像表示部が起動した場合であって，前記電力容量不足の発生の履歴情報が予め定められた警報条件を満たす情報である場合に，警報情報を前記映像表示部に表示させる警報表示制御手段。なお，前記警報情報は，電力容量不足の発生状況や対策等に関する情報である。
ここで，前記警報条件が，前記電力容量不足の発生が複数回検知された履歴があるという条件を含むことが考えられる。
【０００７】
映像表示装置において，前記制御部が起動している（即ち，ＡＣ電力が入力されている）にもかかわらず，映像表示部用の電源回路（前記第２電源回路）の出力電圧が不足する状態（規定電圧に満たない状態）となるのは，通常，一次側のＡＣ電力の容量が映像表示部の起動に対して不足している状態（電力容量不足の状態）であることが多い。
また，映像表示装置において，電力容量不足に起因する映像表示部の起動不良は，状況に応じて発生したり発生しなかったりすることが多い。例えば，１つの電源系統（ＡＣ電力の入力系統）に対して当該映像表示装置と他の家電機器とが接続されている場合でも，他の家電機器が動作中であるか否かによって映像表示装置の起動不良が発生したりしなかったりする。
本発明に係る映像表示装置は，前記第２電源回路の出力電圧に基づいて電力容量不足に起因する映像表示部の起動不良の発生履歴を記憶手段に記録しておき，状況が変わって映像表示部の起動に成功した際に，映像表示部の起動不良の発生履歴が残っていれば，電力容量不足の発生状況や対策等に関する前記警報情報を，詳細な情報表示が可能な映像表示部を通じてユーザにわかりやすく通知するものである。
【０００８】
また，本発明に係る映像表示装置が，さらに，次の（９）に示す構成要素を備えればなお好適である。
（９）前記制御部に設けられ，前記電力容量不足検知手段によって前記電力容量不足の発生が検知された場合に前記映像表示部の再起動処理を実行する再起動制御手段。
一般に，映像表示部の起動不良（前記第２電源回路の出力電圧不足）の原因が瞬時停電である場合，前記再起動処理を１回だけ又はごく少数回だけ実行すれば，映像表示部が正常起動する。これに対し，映像表示部の起動不良の原因が電力容量不足である場合，ごく短時間のうちに前記再起動処理を繰り返しても，映像表示部の起動不良が解消しない場合が多い。そのため，前記電力容量不足の発生の履歴情報が，前記電力容量不足の発生が複数回検知された履歴を表す情報である場合にのみ前記警報情報の表示を行えば，起動不良の原因が瞬時停電等の他の原因である場合に誤った警報を発することを防ぐことができる。
【０００９】
また，本発明に係る映像表示装置が，さらに，次の（１０）に示す構成要素を備えることも考えられる。
（１０）前記再起動制御手段により前記映像表示部の再起動処理が所定回数（予め定められた回数）繰り返されても前記電力容量不足検知手段によって前記電力容量不足の発生が検知された場合に，前記映像表示部をそれまでよりも消費電力の低い低負荷モードで起動させる処理を実行する低負荷起動制御手段。
なお，この場合，前記警報表示制御手段は，前記電力容量不足の発生の履歴情報が前記警報条件を満たす情報である場合に，前記低負荷モードで起動した前記映像表示部に前記警報情報を表示させる。
前記低負荷起動制御手段を備える場合の典型例としては，前記映像表示部が，液晶表示パネルとそれをその背面側から照明するバックライトとを備えた液晶型映像表示部であり，前記低負荷モードが前記バックライトの輝度を下げたモードである例が考えられる。
前述したように，映像表示部の起動不良の原因が電力容量不足である場合，ごく短時間のうちに前記再起動処理を繰り返しても，映像表示部の起動不良が解消しない場合が多い。そのため，ユーザは，映像表示部が正常起動する状況になる前に，装置自体の異常が生じたと誤認する可能性がある。
一方，電力容量不足である場合でも，前記映像表示部を前記低負荷モードで起動させれば，映像を表示できる状態に起動させることができる場合が多い。そのため，本発明に係る映像表示装置が前記低負荷起動制御手段を備えれば，ユーザが，装置自体の異常が生じたと誤認する事態をより確実に回避できる。
【００１０】
また，本発明に係る映像表示装置が，さらに，次の（１１）及び（１２）に示す各構成要素や，（１３）及び（１４）に示す各構成要素を備えることも考えられる。
（１１）前記警報表示制御手段により前記警報情報が前記映像表示部に表示された場合に，前記警報情報の表示を次回から行わないか否かを選択する選択画面を前記映像表示部に表示させる第１の選択画面表示制御手段。
（１２）前記第１の選択画面表示制御手段による前記選択画面の表示中に操作部に対して前記警報情報の表示を次回から行わないことを選択する操作がなされた場合に，次回から前記警報表示制御手段による処理を実行させない制御を行う警報禁止制御手段。
（１３）前記警報表示制御手段により前記警報情報が前記映像表示部に表示された場合に，次回から前記映像表示部をそれまでよりも消費電力の低い低負荷モードで起動させるか否かを選択する選択画面を前記映像表示部に表示させる第２の選択画面表示制御手段。
（１４）前記第２の選択画面表示制御手段による前記選択画面の表示中に操作部に対して次回から前記映像表示部を前記低負荷モードで起動させることを選択する操作がなされた場合に，次回から前記映像表示部を前記低負荷モードで起動させる起動方法変更手段。
これにより，ユーザの意思に応じて，前記警報情報の表示機能を無効にしたり，電力容量不足による起動不良が生じにくい前記低負荷モードへ切り替えたりすることが可能となり，利便性が高まる。
【発明の効果】
【００１１】
本発明によれば，大型の液晶表示装置等の映像表示装置において，電力容量不足に起因する映像表示部の起動不良が発生した場合に，電力容量不足の発生状況や対策に関する情報をユーザにわかりやすく通知することができ，その結果，ユーザが，当該映像表示装置自体の異常が生じたと誤認する事態を回避できる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る映像表示装置の一例である液晶表示装置Ｘの概略構成を表すブロック図，図２は液晶表示装置Ｘにおける起動処理の手順を表すフローチャート，図３は液晶表示装置Ｘにおける電力容量不足に関する警報表示画面の一例を表す図である。
【００１３】
まず，図１に示すブロック図を参照しつつ，本発明の実施形態に係る映像表示装置の一例である液晶表示装置Ｘの構成について説明する。
液晶表示装置Ｘは，いわゆる電源コードを介して外部の商用電源Ｇに接続され，その商用電源から供給されるＡＣ電力に基づいて所定電圧（予め定められた電圧）の電力を出力する電源回路（ＡＣ／ＤＣ変換回路）を複数備え，さらに，その電源回路それぞれにより通電されるＭＰＵ４（制御部の一例）及び映像表示部７を備える映像表示装置の一例である。
図１に示すように，液晶表示装置Ｘは，トランス１，整流回路２，８，レギュレータ３ａ〜３ｃ，ＭＰＵ４，メモリ５，通信処理部６，映像表示部７，フォトカプラ９，電圧検出器１０，瞬停対策用コンデンサ１１等を備えている。なお，液晶表示装置Ｘは，一般的な液晶表示装置Ｘが備えるその他の機器（図１に示されない構成要素）も備えている。
例えば，液晶表示装置Ｘは，その本体やリモート操作器（いわゆるリモコン）に設けられた操作部（操作キー），その操作部に対する操作内容を表す信号をＭＰＵ４に伝送する操作信号伝送部，操作部における電源キーの操作に応じて，レギュレータ３ａとＭＰＵ４及びメモリ５との間の電力供給ラインの断続を行う（即ち，ＭＰＵ４及びメモリ５に対する通電を行うか否かを切り替える）スイッチ回路等も備えている。
【００１４】
トランス１は，商用電源Ｇから供給されるＡＣ電力の電圧（１００Ｖ）を降圧するとともに，１次側（商用電源Ｇ側）と２次側（負荷側）とを電気的に絶縁する回路である。
トランス１により降圧されたＡＣ電力は，整流回路２によって全波整流され，整流後のＤＣ電力が，複数のレギュレータ３ａ〜３ｃそれぞれによってそれぞれ異なる電圧Ｖａ，Ｖｂ，Ｖｃへ定電圧化される。ここで，レギュレータ３ａの出力電圧Ｖａよりもレギュレータ３ｂの出力電圧の方が高く，また，レギュレータ３ｂの出力電圧３ｂよりもレギュレータ３ｃの出力電圧Ｖｃの方が高い関係（Ｖａ＜Ｖｂ＜Ｖｃ）となっている。
即ち，トランス１，整流回路２及びレギュレータ３ａが，外部から供給されるＡＣ電力に基づいて電圧Ｖａの電力を出力する電源回路（前記第１電源回路の一例）を構成している。
同様に，トランス１，整流回路２及びレギュレータ３ｂが，ＡＣ電力に基づいて電圧Ｖｂの電力を出力する電源回路を，トランス１，整流回路２及びレギュレータ３ｃが，ＡＣ電力に基づいて電圧Ｖｃ（＞Ｖａ）の電力を出力する電源回路（前記第２電源回路の一例）をそれぞれ構成している。
そして，比較的消費電力の小さい（電力負荷の小さい）ＭＰＵ４及びその周辺機器であるメモリ５やＲＯＭ（不図示）等は，出力電圧の低いレギュレータ３ａによって通電（電力供給）され，当該液晶表示装置Ｘの中で最も消費電力が大きい映像表示部７は，出力電圧の高いレギュレータ３ｃによって通電される。
瞬停対策用コンデンサ１１は，ＭＰＵ４の電力入力ラインに設けられ，瞬時停電の発止時にも所定時間（例えば，数百ミリ秒程度）だけＭＰＵ４やメモリ５に対する電力供給を保持するものである。
また，消費電力がＭＰＵ４やメモリ５よりも大きいが映像表示部７よりは小さいその他の機器（例えば，通信処理部６等）は，レギュレータ３ｂによって通電される。なお，液晶表示装置Ｘは，図１に示される以外にも，電源回路の一部を構成するレギュレータを備えるが，ここでは説明を省略する。
【００１５】
ＭＰＵ４は，各種演算及び当該液晶表示装置Ｘが備える各機器の制御を行う演算手段（プロセッサ）であり，その演算や制御の過程でフラッシュメモリやＥＥＰＲＯＭ等からなるメモリ５にアクセス（読み書き）し，各種情報の参照や書き込み（記録）を行う。
通信処理部６は，ＨＤＭＩインターフェース等の外部装置との信号伝送インターフェースである。この通信処理部６は，例えば，外部装置から映像信号を入力し，その映像信号を不図示の映像信号処理部を介して映像表示部７へ伝送する処理や，ＭＰＵ４と外部装置との間で送受信される情報を中継する処理等を実行する。
映像表示部７は，液晶表示パネル７ａ（図中，「液晶パネル」と表記），バックライト７ｂ，インバータ回路７ｃ（図中，「ＩＮＶ回路」と表記）等を備え，映像信号に基づく映像を液晶表示パネル７ａにより表示するものである。
バックライト７ｂは，液晶表示パネル７ａをその背面側から照明する蛍光管等の光源であり，インバータ回路７ｃは，ＭＰＵ４からの制御指令に従って，そのバックライト７ａに供給する電力（インバータ出力のデューティ）を調節する回路である。
液晶表示装置Ｘにおいて，前記操作部を通じて起動操作（電源キーの押下操作）が行われると，前記スイッチ回路によってＭＰＵ４に対する通電が開始され，通電されたＭＰＵ４が起動する。そして，起動したＭＰＵ４が，さらに他の機器（通信処理部６や映像表示部７等）を起動させる起動処理を実行する。即ち，映像表示部７は，ＭＰＵ４（制御部）が起動した後に，そのＭＰＵ４によって起動される。
【００１６】
電圧検出器１０は，いわゆるリセットＩＣ等であり，レギュレータ３ｃの出力電圧（前記第２電源回路の出力電圧に相当）の不足状態，即ち，その出力電圧が規定電圧Ｖｃに対して予め定められた許容範囲に満たない状態を検出する素子（或いは回路）である（前記第２電源電圧不足検出手段の一例）。本実施形態では，電圧検出器１０の検出信号ＣＫ１は，レギュレータ３ｃの出力電圧がその規定電圧Ｖｃに対して許容範囲に満たない場合にＯＦＦとなり，許容範囲内である場合にＯＮとなるものとする。電圧検出器１０の検出信号ＣＫ１（検出結果）は，ＭＰＵ４に伝送される。
レギュレータ３ｃは，その出力電圧Ｖｃが他のレギュレータ３ａ，３ｂよりも高く，また，接続される負荷の容量が最も大きいため，当該液晶表示装置Ｘの電力負荷（特に，映像表示部７の消費電力）に対してＡＣ電力の容量が不足する場合，他のレギュレータ３ａ，３ｂに比べて出力電圧不足（許容レベル未満）となりやすい。通常，起動時の突入電流によってＡＣ電力の容量が一時的に不足する場合，レギュレータ３ｃの出力電圧は不足状態（電圧検出器１０の検出信号ＣＫ１がＯＦＦ）となるが，他のレギュレータ３ａ，３ｂの出力電圧は規定電圧Ｖａ，Ｖｂに対して許容範囲に維持される。
【００１７】
一方，整流回路８は，商用電源ＧのＡＣ電力供給ラインに対し，電源回路１，２，３ａ〜３ｃと並列に接続され，ＡＣ電力を全波整流する回路である。なお，整流回路８の二次側には，ＡＣ電力の入力が途絶えた状態において整流回路８内のコンデンサにチャージされた電荷を放電するための放電抵抗８ｃが設けられている。
また，フォトカプラ９は，整流回路８により整流されたＤＣ電力の電圧レベルが下限レベル以上であるかそのレベルに満たないかを検出するとともに，その検出信号ＣＫ０の出力側を，ＡＣ電力の入力側に対して電気的に絶縁する素子（回路）である。フォトカプラ９の検出信号ＣＫ０は，ＭＰＵ４に伝送される。
これら整流回路８及びフォトカプラ９は，ＡＣ電力の入力ラインにおける電圧レベルが下限レベル以上であるか否かを検出することにより，当該液晶表示装置Ｘに対してＡＣ電力が入力されている状態にあるか否か，即ち，ＡＣコンセントに接続されている状態にあるか否かを検知する回路である。本実施形態では，フォトカプラ９の検出信号ＣＫ０は，ＡＣ電力の入力ラインにおける電圧レベルが下限レベル以上である場合にＯＮ，そうでない場合にＯＦＦとなる。
ここで，フォトカプラ９は，ＡＣ電力の入力有無（停電の場合は入力無し）を検知するためのものであり，それが動作する（ＯＮ信号を出力する）ときのＡＣ電圧レベルは，ＡＣ電力の容量不足によって降下したＡＣ電圧レベルよりもさらに低く設定されている。従って，ＡＣ電力の容量不足が生じた場合，フォトカプラ９の検出信号ＣＫ０がＯＮ，電圧検出器１０の検出信号ＣＫ１がＯＦＦとなる。
【００１８】
ところで，電圧検出器１０，１次側の整流回路８及びフォトカプラ９は，そもそも瞬時停電や機器の故障等に起因する電圧低下を検出するためのものである。そして，ＭＰＵ４は，その電圧低下の発生時に，次回の起動処理を正常に行えるように，瞬停対策用コンデンサ１１によって給電バックアップが行われている間に，各種パラメータや機器の初期化処理や次回の起動処理の際に必要なパラメータをメモリ５へバックアップする処理等のを行う。
そして，液晶表示装置Ｘにおいては，電圧検出器１０，１次側の整流回路８及びフォトカプラ９は，起動処理の実行中におけるＡＣ電力の容量不足の発生の検知にも利用される。以下，その詳細について説明する。
【００１９】
続いて，図２に示すフローチャートを参照しつつ，主としてＭＰＵ４が実行する起動処理の手順について説明する。図２に示す処理は，前記操作部を通じた起動操作（電源キーの押下操作）に応じてＭＰＵ４が起動した後に開始される。また，起動処理においてＭＰＵ４が実行する処理は，ＭＰＵ４が不図示のＲＯＭに予め記憶されたプログラムを実行することによって実現される。なお，以下に示すＳ１，Ｓ２，…は，処理手順（ステップ）の識別符号を表す。
ＭＰＵ４が起動すると，まず，ＭＰＵ４が，レギュレータ３ｂにより電力が供給される通信処理部６等の機器の起動処理を実行する（Ｓ１）。
次に，ＭＰＵ４は，映像表示部７の起動前に，電圧検出器１０の検出信号ＣＫ１がＯＦＦであるか否か（レギュレータ３ｃの出力電圧不足であるか否か）をチェックする（Ｓ２）。この時点で，レギュレータ３ｃの出力電圧不足（信号ＣＫ１がＯＦＦ）である場合，ＭＰＵ４は，不図示のエラーランプを点灯させ（Ｓ９），起動処理を終了させる。
さらに，ＭＰＵ４は，メモリ５に後述する起動禁止フラグ情報が記憶（記録）されているか否かも判別し（Ｓ３），起動禁止フラグ情報が記憶されている場合にも，不図示のエラーランプを点灯させ（Ｓ９），起動処理を終了させる。
前記禁止フラグ情報は，後述するステップＳ１４においてメモリ５に記録される情報であり，映像表示部７の起動を禁止する旨を表す情報である。
【００２０】
一方，ＭＰＵ４は，レギュレータ３ｃの出力電圧不足ではなく（信号ＣＫ１がＯＮ），かつ，メモリ５に起動禁止フラグ情報が記憶されていない場合に，映像表示部７の起動処理を開始する（Ｓ４）。このとき，ＭＰＵ４は，不図示のタイマ回路に時間の計時を開始させる。
そして，ＭＰＵ４は，映像表示部７の起動処理を実行しつつ，フォトカプラ９の検出信号ＣＫ０がＯＦＦであるか否かの監視（Ｓ５），電圧検出器１０の検出信号ＣＫ１がＯＦＦであるかの監視（Ｓ６），映像表示部７の起動処理が終了したか（正常起動したか）否かの監視（Ｓ７），及び前記タイマ回路による計時時間が予め定められた設定時間を経過（タイムオーバー）したか否かの監視（Ｓ８）を随時行う。
【００２１】
そして，ＭＰＵ４は，映像表示部７の起動処理の実行中に，フォトカプラ９の検出信号ＣＫ０がＯＦＦになったこと，即ち，ＡＣ電力の入力が途絶えたこと（停電したこと及び電源ケーブルがコンセントから抜かれたことを含む）を検知すると，１回の起動操作（電源キーの押下操作）に対して実行した映像表示部７の起動処理の回数（以下，起動回数ｉｙという）をカウントアップ（＋１）する（Ｓ１３）。なお，起動回数ｉｙは，ＭＰＵ４がその主記憶領域又はメモリ５に記録する情報であり，その初期値は０である。
さらに，ＭＰＵ４は，起動回数ｉｙが，３以上の値が予め設定された上限回数（以下，上限起動回数Ｎｙという）に達しているか否かを判別する（Ｓ１４）。
そして，ＭＰＵ４は，起動回数ｉｙが上限起動回数Ｎｙに達していると判別すると，それ以降における映像表示部７の起動処理を禁止する旨を表す情報である前記起動禁止フラグ情報をメモリ５に記録（Ｓ１５）した上で，前述したステップＳ３からの処理を再実行する。一方，ＭＰＵ４は，起動回数ｉｙが上限起動回数Ｎｙに達していないと判別すると，そのまま（起動禁止フラグ情報の記録を行わずに），前述したステップＳ３からの処理を再実行する。
これにより，ＭＰＵ４は，映像表示部７の起動処理の実行中に，ＡＣ電力の入力が途絶えたことを検知するごとに，映像表示部７の起動処理の再実行（Ｓ４，再起動処理）を行う。
【００２２】
また，ＭＰＵ４は，映像表示部７の起動処理の実行中に，フォトカプラ９の検出信号ＣＫがＯＮであるにもかかわらず，電圧検出器１０の検出信号ＣＫ１がＯＦＦになったこと，即ち，ＡＣ電力が入力されているにもかかわらず映像表示部７に供給されるレギュレータ３ｃの出力電圧の不足状態が発生したこと（以下，電力容量不足状態という）を検知（Ｓ６）すると，１回の起動操作（電源キーの押下操作）に応じた起動処理の実行中に前記電力容量不足状態が発生した回数（以下，容量不足回数ｉｘという）をカウントアップ（＋１）する（Ｓ１０）。ここで，容量不足回数ｉｘは，ＭＰＵ４がその主記憶領域又はメモリ５に記録する情報であり，その初期値は０である。なお，ステップＳ６の処理を実行するＭＰＵ４が，ＭＰＵ４（制御部の一例）が起動した後の電圧検出器１０の検出結果ＣＫ１に基づいて電力容量不足の発生を検知する前記電力容量不足検知手段の一例である。
このように，ＡＣ電力が入力されているにもかかわらず，映像表示部７の起動処理を実行中に電源回路３ｃの出力電圧が低下する（検出信号ＣＫ１がＯＦＦになる）状況としては，電源回路３ｃの二次側の負荷が増えたことにより，ＡＣ入力電圧が低下した状況，ＡＣ入力電圧は正常であるが整流回路２の出力電圧（整流電圧）が低下した状況，整流回路２の出力電圧は正常であるが電源回路３ｃのラインインピーダンスにより出力電圧が低下した状況等が考えられる。
さらに，ＭＰＵ４は，容量不足回数ｉｘが，２以上の値が予め設定された回数（以下，警報条件回数Ｎｘという）に達しているか否かを判別する（Ｓ１１）。
なお，この警報条件回数Ｎｘの値は，２回以上であり，前記上限起動回数Ｎｙの値よりも小さい値である。また，警報条件回数Ｎｘは，設計時に各種条件を考慮して決定されるが，１０回以下の回数が適当である。
【００２３】
そして，ＭＰＵ４は，容量不足回数ｉｘが警報条件回数Ｎｙ（≧２）に達していると判別すると，次に映像表示部７が起動したときに所定の警報メッセージをその映像表示部７に表示させるべき状態であることを表す警報要フラグ情報をメモリ５に記録（Ｓ１２）した上で，前述したステップＳ１３からの処理を再実行する。一方，ＭＰＵ４は，容量不足回数ｉｘが警報条件回数Ｎｘに達していないと判別すると，そのまま（警報要フラグ情報の記録を行わずに），前述したステップＳ１３からの処理を再実行する。
これにより，ＭＰＵ４は，映像表示部７の起動処理の実行中に，電圧検出器１０の検出結果に基づいてＡＣ電力の容量不足の発生を検知するごとに（Ｓ６のＹ），映像表示部７の起動処理の再実行（再起動処理）を行う（Ｓ４，前記再起動制御手段の一例）。
以上に示したステップＳ６，Ｓ１０〜Ｓ１２の処理（ＭＰＵ４が実行する処理）は，映像表示部７の起動処理の実行中に，電圧検出器１０の検出信号ＣＫ１（検出結果）に基づいてＡＣ電力の容量不足の発生を検知し（Ｓ６），その検知結果に基づく前記警報要フラグ情報をメモリ５に記録（Ｓ１２）する処理である。また，警報要フラグ情報は，ＡＣ電力の容量不足が映像表示部７の起動処理の実行中に複数回（Ｎｘ回）発生したという履歴を表す情報の一例である（前記電力容量不足の発生の履歴情報の一例）。なお，ＭＰＵ４が，前記電力容量不足履歴記録手段の一例である。
また，ＭＰＵ４は，映像表示部７の起動処理の繰り返し実行回数が上限起動回数Ｎｙに達した場合，その理由（原因）を問わず前記起動禁止フラグ情報をメモリ５に記録することにより，それ以上の映像表示部７の起動処理の実行を制限（禁止）する。その結果，構成部品に故障が発生している状況で映像表示部７の起動処理を繰り返すことにより，インバータ回路７ｃ等の部品の過熱等によって重大な事故が発生することを防止できる。
【００２４】
また，ＭＰＵ４は，映像表示部７の起動処理の実行開始後，その正常起動が検知されるまでに所定の設定時間を経過（タイムオーバー）したことを検知すると，不図示のエラーランプを点灯させ（Ｓ９），起動処理を終了させる。
また，ＭＰＵ４は，映像表示部７の起動処理の実行開始後，タイムオーバーの前にその正常起動を検知すると，映像表示部７（の液晶パネル７ａ）に映像信号に基づく映像を表示させる映像表示処理を実行する（Ｓ１６）。
さらに，ＭＰＵ４は，メモリ５に前記警報要フラグ情報が記録（記憶）されているか否かを判別し（Ｓ１７），それが記録されていない場合には，そのまま起動処理を終了させる。
一方，ＭＰＵ４は，映像表示部７が起動した状況において，メモリ４に前記警報要フラグ情報が記録（記憶）されていると判別（Ｓ１７）した場合，即ち，今回の又は過去の起動処理においてＡＣ電力の容量不足（電力容量不足）の発生が複数回（Ｎｘ回）検知された履歴がある場合，所定の警報メッセージ（警報情報の一例）を一定の時間だけ映像表示部７（の液晶表示パネル７ａ）にＯＳＤ表示させる処理を実行し（Ｓ１８，前記警報表示制御手段の一例），その後，起動処理を終了させる。また，ＭＰＵ４は，前記警報メッセージの表示中に，操作部を通じて所定の履歴情報初期化操作（例えば，特定のキーの押下操作）がなされたことを検知した場合に，メモリ７に記憶されている警報要フラグ情報を消去（初期化）する。
なお，警報要フラグ情報がメモリ５に記録されているということは，メモリ５に記録されている警報要フラグ情報（前記電力容量不足の発生の履歴情報の一例）が，前記電力容量不足の発生が複数回検知された履歴があるという条件（前記警報条件の一例）を満たす情報であることを意味する。
【００２５】
図３は，ステップＳ１８の処理によって液晶表示パネル７ａに表示される電力容量不足に関する警報表示画面の一例を表す図である。
図３に示すように，ＭＰＵ４は，ステップＳ１８において，所定の映像信号（外部から入力される映像信号又は当該液晶表示装置Ｘにおいて生成される映像信号）に基づく映像Ｖ０に重ねて，電力容量不足に関する警報メッセージＶ１を液晶表示パネル７ａに表示させる。
ここで，警報メッセージＶ１は，電力容量不足の発生状況や対策等に関する情報をユーザに通知するものである。警報メッセージＶ１の内容としては，例えば，１つの電源系統（ＡＣ電力の入力系統）に対して当該液晶表示装置Ｘと他の家電機器とを同時に接続して使用しないよう勧める内容や，ＡＣ電力の入力系統に用いられているテーブルタップをより電流容量の大きいものや劣化していないもの（新しいもの）に交換することを勧める内容，或いは，バックライト７ｂの輝度設定を下げることを勧める内容等が考えられる。
以上に示したように，液晶表示装置Ｘは，レギュレータ３ｃの出力電圧に基づいて電力容量不足に起因する映像表示部７の起動不良の発生履歴（前記警報要フラグ情報）をメモリ５に記録（Ｓ１２）しておき，状況が変わって映像表示部７の起動に成功した際に，映像表示部７の起動不良の発生履歴が残っていれば，電力容量不足の発生状況や対策等に関する警報メッセージＶ１を映像表示部７を通じてユーザにわかりやすく通知する（Ｓ１８）。
その結果，液晶表示装置Ｘにおいて，電力容量不足に起因する映像表示部７の起動不良が発生した場合に，ユーザが，当該液晶表示装置Ｘ自体の異常が生じたと誤認する事態を回避できる。
【００２６】
ところで，映像表示部７の起動不良の原因が電力容量不足である場合，ごく短時間のうちに起動処理（Ｓ４）の再実行（再起動処理）を繰り返しても，映像表示部７の起動不良が解消しない場合が多い。そのため，ユーザは，映像表示部７が正常起動する状況になる前に，装置自体の異常が生じたと誤認する可能性がある。
一方，電力容量不足である場合でも，映像表示部７を通常よりも消費電力が小さい状態（以下，低負荷モードという）で起動させれば，映像を表示できる状態に起動させることができる場合が多い。
そこで，ＭＰＵ４が，起動処理において，以下に示す低負荷起動制御を実行することも考えられる。
ここでいう低負荷起動制御は，ＭＰＵ４による再起動制御処理（図２におけるステップＳ６からステップＳ１０〜Ｓ１２を経てステップ４に至る処理）により，映像表示部７の再起動処理が前記警報条件回数Ｎｘに達する回数まで繰り返されても電力容量不足の発生が検知された場合（Ｓ６のＹ）に，映像表示部７をそれまでよりも消費電力の低い低負荷モードで起動させる処理である。
また，前記低負荷モードは，インバータ回路７ｃによるインバータ出力のデューティをそれまで（本来の設定）よりも下げることにより，バックライト７ｂの輝度をそれまで（通常）よりも下げたモードである。
なお，この場合，ＭＰＵ４は，メモリ５に前記警報要フラグ情報が記録されている場合（前記電力容量不足の発生の履歴情報が警報条件を満たす情報である場合の一例）に，前記低負荷モードで起動した映像表示部７に前記警報メッセージＶ１を表示させる。
これにより，ユーザが，装置自体の異常が生じたと誤認する事態をより確実に回避できる。
【００２７】
また，前述した実施形態では，ＭＰＵ４が，電力容量不足の発生履歴を表す情報として，前記警報要フラグ情報をメモリ５に記録する例を示したが，映像表示部７の起動処理中における電力容量不足の発生回数（前記電圧不足回数ｉｘ）を履歴情報としてメモリ５に記録することも考えられる。この場合，ＭＰＵ４が，ステップＳ１７において，メモリ５に記録されている電圧不足回数ｉｘが前記警報条件回数Ｎｘ以上であるか否かを判別し，ｉｘ≧Ｎｘである場合に，ステップＳ１８の処理を実行すればよい。
また，前述した実施形態においてカウントアップされる電圧不足回数ｉｘが，１回の起動操作（電源キーの押下操作）に対して実行される起動処理ごとに，或いは，予め定められた期間（例えば，１日や数日）が経過するごとに初期化される例の他，過去の累積発生回数を表す履歴情報として不揮発性のメモリ５に記憶される例も考えられる。
また，前記液晶表示装置Ｘにおいて，１次側の整流回路８及びフォトカプラ９を構成要素から除外し，ＭＰＵ４が，前記電圧検出器１０の検出信号ＣＫ１のみによって電力容量不足の発生を検知することも考えられる。
【００２８】
また，ＭＰＵ４が，前記警報メッセージＶ１を映像表示部７に表示させたときに，所定の選択画面を映像表示部７に表示させ，その選択画面の表示中におけるリモコン等における操作部に対する選択操作（例えば，矢印キーの押下操作）に応じて，次回以降の起動処理の内容を変更することも考えられる。
例えば，ＭＰＵ４が，前記選択画面として，警報メッセージＶ１の表示を次回から行うか否かの選択画面を映像表示部７に表示させることが考えられる（前記第１の選択画面表示制御手段の一例）。
この場合，ＭＰＵ４は，操作部に対して警報メッセージＶ１の表示を次回から行わないことを選択する操作がなされた場合に，警報禁止フラグ情報をメモリ５に記録する。さらに，ＭＰＵ４は，次回以降の起動処理の際に，前記警報禁止フラグ情報がメモリ５に記録されている場合は，警報メッセージＶ１の表示処理（Ｓ１８）を実行しない制御を行う（前記警報禁止制御手段の一例）。
その他，ＭＰＵ４が，前記選択画面として，次回から映像表示部７をそれまでよりも消費電力の低い前記低負荷モードで起動させるか否かの選択画面を映像表示部７に表示させることが考えられる（前記第２の選択画面表示制御手段の一例）。
この場合，ＭＰＵ４は，操作部に対して次回から前記低負荷モードでの起動を行うことことを選択する操作がなされた場合に，低負荷モードフラグ情報をメモリ５に記録する。さらに，ＭＰＵ４は，次回以降の起動処理の際に，前記低負荷モードフラグ情報がメモリ５に記録されている場合は，映像表示部７を前記低負荷モードで起動させる（前記起動方法変更手段の一例）。
これらの処理を実行することにより，ユーザの意思に応じて，警報メッセージＶ１の表示機能を無効にしたり，電力容量不足による起動不良が生じにくい前記低負荷モードへ切り替えたりすることが可能となり，利便性が高まる。
【産業上の利用可能性】
【００２９】
本発明は，液晶表示装置等の映像表示装置に利用可能である。
【図面の簡単な説明】
【００３０】
【図１】本発明の実施形態に係る映像表示装置の一例である液晶表示装置Ｘの概略構成を表すブロック図。
【図２】液晶表示装置Ｘにおける起動処理の手順を表すフローチャート。
【図３】液晶表示装置Ｘにおける電力容量不足に関する警報表示画面の一例を表す図。
【符号の説明】
【００３１】
Ｘ  ：液晶表示装置
１  ：トランス
２  ：整流回路
３ａ，３ｂ，３ｃ：レギュレータ
４  ：ＭＰＵ
５  ：メモリ
６  ：通信処理部
７  ：映像表示部
７ａ：液晶表示パネル
７ｂ：バックライト
７ｃ：インバータ回路
８  ：整流回路
９  ：フォトカプラ
１０：電圧検出器
１１：瞬停対策用コンデンサ
Ｓ１，Ｓ２，…：処理手順（ステップ）
【図１】
2009063784.tif 000003
【図２】
2009063784.tif 000004
【図３】
2009063784.tif 000005